(57)【要約】【課題】写真、絵画、プリント、イラスト等のままでは、平面的で臨場感に乏しく、意外性が低く意匠、デザイン、色調、などの専門性、装飾性も乏しいため、他人の興味を引き付ける要素が不足していた。また紙製の良さを発揮している物も少なかった。【解決手段】本考案は上記課題を解決するために、写真集、百科事典などの本を見開いた形に加工し、それを基台にして、その上面に絵や写真あるいはポスターなどから得られた画像や文字のプリントをカットし、これを、ビーズを間に挟みながら、接着剤を用いて、幾重にも貼り重ね、これを塗料にて複数回塗り込み、さらにその上面に接着剤をもって、針金や羽毛あるいはビーズなどの小物をあしらってあることを特徴とする本型展示物を制作する。またこの展示物の基台に切り欠き開口部を設け、ここにオルゴールや時計あるいは小型テレビなどの物品を少なくとも一つ、嵌め込んであることを特徴とする請求項１記載の本型展示物として制作する。【選択図】図１
0003139813.tif 000002
【実用新案登録請求の範囲】
【請求項１】
写真集、百科事典などの本を基台にして、その上に平面的な絵、写真、プリント類をカットし、幾重にも重ね、貼り合わせ、且つ塗料類にて複数回塗り込め、裏、表、外周等、全方位から見て全体に、紙、接着剤、塗料、ビーズ、針金、羽毛、など美的に見せられる種々の事物を本出願人のアイデアにて使用し、無限大の変化をもたらせる立体的装飾体を形成することを特徴とする展示物。
【請求項２】
写真及びプリントを切って幾重にも貼り重ね、立体的に見せることを特徴とする請求項１記載の展示物は、オルゴール、時計、宝石類、小型テレビ、鈴など本出願人のアイデアにより出現する各機能を付加し、それを、基台に切欠き開口し、嵌め込むことを特徴とする請求項１の展示物。
【考案の詳細な説明】
【技術分野】
【０００１】本考案は写真、絵、イラスト、プリント、証明書、血統書、オルゴール、宝石類などを加工した、机の上や床上、壁等に展示する本型装飾体に関する。
【背景技術】
【０００２】従来、本型装飾体は陶器や木製、金属製などの非紙製の物が散見していたが意匠、デザイン、色調、素材、加工性などの点で、選択範囲が狭かった。また、欧米等では、平面的な絵、印刷物等を三次元に見せるシャドーボックス、という技法があり、他方、イタリア、フランスに端を発した絵、印刷物等を切って、家具などに貼り、塗り込めるデコパージュと呼ばれる技法もある。
この両方の技術を取り入れ発展させ、本等をベースに写真、絵、プリント等を立体として表現し具現化する技法及び商品を本考案の骨子としている。
また、これを本出願人は、デコ・ラ・シャドーと名付け商標登録を出願した。
【考案の開示】
【考案が解決しようとする課題】
【０００３】写真、絵画、プリント、イラスト等のままでは、平面的で臨場感に乏しく、意外性が低く、意匠、デザイン、色調、などの専門性、装飾性も乏しいため、他人の興味を引き付ける要素が不足していた。また紙製の良さを発揮している物も少なかった。
【課題を解決するための手段】
【０００４】本考案は元来あるデコパージュ技法とシャドーボックス技法を融合進化させ、手作りの良さを、立体的で、意外性が有り、意匠、デザイン、色調、装飾性、芸術性、面白さ等を付加し、臨場感溢れる、平面では表現出来ない事物を出現させ、他人の興味を引き付ける、本出願人が名付けたデコ・ラ・シャドー技術に拠る本型装飾体であることを特徴とする。
【考案の効果】
【０００５】本類を材料として使うため、切り欠き加工して、オルゴール、時計、宝石類小型テレビ、鈴など本出願人のアイデアから出現する事物を嵌め込み、意匠、デザイン、色調と調和させた各固有機能も付加し、かつ芸術的側面からの美観を感じさせ、他人の関心を引き付けることができる特徴を持つ。
【考案を実施するための最良の形態】
【０００６】平面的な絵、プリント類をカットし、幾重にも重ねて立体化するシャドーボックス技法とそれを塗り込めて浮き上がらせるデコパージュ技法とを進化、融合させたデコ・ラ・シャドー技法にて本型装飾体を製作する。
【実施例】
【０００７】以下  本考案の実施の形態を明確にするため、本考案の好適な実施例を図面と共に説明する。なお、本考案の実施の形態は、下記の実施例になんら限定されるものではなく、本考案の技術的範囲に属する限り、種々の態様で実施出来ることは、言うまでもない。【０００８】以下  本考案の本型装飾体実施例の構成について示す。
図１に本考案の第１実施例に係る本型装飾体１００の構成を示す。図１に示すように本実施例に係る本型装飾体は、結婚式のウェルカムボードとして創作したものである。写真集を基台としているため、基台２０の一頁ごとに両面テープ、接着剤にてずらして貼り固める。頁がめくれていような臨場感を出すために、頁２の角端を湾曲させながら接着剤で固める。図１の３は、立体的なバラの部位であるが、予め意匠、デザイン、色調を吟味したバラの写真を複数、コピープリントし、事前に重ね合わせた時に立体化出来得るようカットしておき、花びら２３とする。図２にてその詳細を示す。【０００９】図２は、図１のバラ３の、花びら２３の拡大縦断面図である。
基台２０は事前に意匠、デザイン、色調を吟味して背景を塗りこめた基台。
基台２０の上に、透明竹ビーズ２１に接着剤２２を塗布し、複数のバラの花びら２３との高さを調節しながら立体化するよう取り付ける。
この工程の仕上げとして艶出し仕上げ剤２４を使い花びらに艶を出す。【００１０】図１の４は、基台２０をハート型に切欠き開口し、ハート型窓を設置する工程で、詳細を図３の拡大縦断面図にて説明する。【００１１】図３  基台２０表面から１５ｍｍ〜２０ｍｍ程度の深さにハート型を切欠開口しハート型露出窓を欠設する。ハート型に切った厚紙２５をハート型開口部内に落とし込み、嵌め込みながら接着剤にて接着。【００１２】図４は、図１の５の拡大縦断面図で、ハート型厚紙２５の上に、予め用意しておいた写真２６を４枚プリント、カットし、図柄の遠近に合わせながら、重ね、竹ビーズ２１と接着剤２２にて固定する。ハート型厚紙２５より写真２６を浮き上がらせ半立体的な装飾にする工程。【００１３】図１の６は、ハート型切欠開口部外周に、美的且つ華やかさを出すために、羽毛を接着し装飾とする。【００１４】図１の７は基台２０に英文字を浮き上がらせ、基台に影を作り、より立体感を増すための工程で、図５の拡大縦断面図にて説明する。レタリング文字７を適度な大きさにプリントし切り抜いておく。基台２０に竹ビーズ２１を接着し、切抜き文字７を竹ビーズ２１の上に乗せ、バランス良く、美的に配置し、接着剤２２で接着する。【００１５】０００８、０００９で述べた２０基台の製作工程を詳述する。５０裏表紙は展示物として安定させるため、左右の裏表紙が一直線になる様、また見開かれた本の状態になる様、固める。写真集等の本を使用するが、５０裏表紙は、下地用定着剤にて、下地を整え、吟味したアクリル絵の具等で着色する。絵の具の発色を良くするため、また表面の保護、さらには、より豪華に見せるために、漆塗りを元祖とするデコパージュ技法により、アクリル仕上げ剤を幾重にも塗り込める。本考案の実施例では、四角に波型模様を貼り、塗り込めているが、これは、家紋、イニシャル、マーク等何でもよく、漆塗りの様な重厚感を出し、さらにアクセントとして、新郎新婦の思い出の写真を塗り込めた。一番重要な表面は次に述べる。【００１６】図１の５１は、見開かれた本型装飾体の表面である。写真集等の本を頁の半分で分け、頁のふくらみを左右対称になる様に頁１をずらしながら、接着剤にて各頁の裏面を接着する。頁のふくらみは、強度が弱いので、強度補強のために、下地用定着剤を塗り込めながら、下地を整える。下地の上に、吟味したプリント、本実施例では、バラ３が描写されたポスターを、コピープリントし、それを接着剤にて貼り、プリントの発色保護、及び美感を良くするためアクリル仕上げ剤を幾重にも塗りこめる。【００１７】以上本考案の実施例について説明したが、当該本型装飾体の用途は上記のものに限られず、展示物が賞状、証明書、ペットの血統書、絵画、書、写真、イラスト等にも適用できる。【００１８】本実施例の００１０〜００１３で説明したが、切欠き開口して、そこにオルゴール、時計、宝石類、小型テレビ、鈴など、本出願人のアイデアにより出現する事物を、基台を切欠き開口し、嵌め込み、各機能を付加することが出来ることも特徴とする。
【図面の簡単な説明】
【００１９】
【図１】本考案の一実施例を示す一部切欠正面図である。
【図２】その要部拡大縦断面図である。
【図３】その要部拡大縦断面図である。
【図４】その要部拡大縦断面図である。
【図５】その要部拡大縦断面図である。
【符号の説明】
【００２０】１  頁、２  捲れ上がった頁、３  バラの全体、４  ハート型窓、５  ハート型窓の内部の写真、６  羽毛、７  レタリング切抜文字、２０  基台、２１  竹ビーズ、２２  接着剤、２３  花びら、２４  艶出仕上剤、５０  裏表紙、５１  表面、２５  ハート型厚紙、２６  写真、１００  本型装飾体、
【図１】
0003139813.tif 000003
【図２】
0003139813.tif 000004
【図３】
0003139813.tif 000005
【図４】
0003139813.tif 000006
【図５】
0003139813.tif 000007
【手続補正書】
【提出日】平成19年11月30日(2007.11.30)
【手続補正１】
【補正対象書類名】実用新案登録請求の範囲
【補正対象項目名】全文
【補正方法】変更
【補正の内容】
【実用新案登録請求の範囲】
【請求項１】
写真集、百科事典などの本を見開いた形に加工し、それを基台にして、その上面に絵や写真あるいはポスターなどから得られた画像や文字のプリントをカットし、これを、ビーズを間に挟みながら、接着剤を用いて、幾重にも貼り重ね、これを塗料にて複数回塗り込み、さらにその上面に接着剤をもって、針金や羽毛あるいはビーズなどの小物をあしらってあることを特徴とする本型展示物。
【請求項２】
上記展示物の基台に切り欠き開口部を設け、ここにオルゴールや時計あるいは小型テレビなどの物品を少なくとも一つ、嵌め込んであることを特徴とする請求項１記載の本型展示物。
【手続補正３】
【補正対象書類名】明細書
【補正対象項目名】０００４
【補正方法】変更
【補正の内容】
【０００４】本考案は上記課題を解決するために、写真集、百科事典などの本を見開いた形に加工し、それを基台にして、その上面に絵や写真あるいはポスターなどから得られた画像や文字のプリントをカットし、これを、ビーズを間に挟みながら、接着剤を用いて、幾重にも貼り重ね、これを塗料にて複数回塗り込み、さらにその上面に接着剤をもって、針金や羽毛あるいはビーズなどの小物をあしらってあることを特徴とする本型展示物を制作する。またこの展示物の基台に切り欠き開口部を設け、ここにオルゴールや時計あるいは小型テレビなどの物品を少なくとも一つ、嵌め込んであることを特徴とする請求項１記載の本型展示物として制作する。
【手続補正４】
【補正対象書類名】明細書
【補正対象項目名】０００５
【補正方法】変更
【補正の内容】
【０００５】本考案は上記構成から成るので以下に示す効果が期待できる。
１、画像や写真をプリントし、これをカットし、ビーズを間に挟み、積み重ね加工することで立体化され、臨場感が増す。
２、意匠、デザイン、色調などの装飾性が高められ、面白さ、意外性を発揮する。
３、レリーフなどの半立体と違い、全方位から観賞出来るため、他人の興味をより、引き付ける。
４、基台である本などが、紙製であるため、自由な曲線、形、大きさの変化などが出しやすく、紙の特徴を生かして制作できる。
５、基台が紙ゆえに、切り欠き開口加工が容易であるため、考案者の意図する主眼が表現しやすく、また、嵌め込むオルゴールなどの物品によって、プラスの機能を付加することが出来る特徴を持つ。
６、カットした切り抜き文字が、高さを持つため、陰影を出現させ、光の当たる角度により、様々な変化を生み、より立体的な要素となる。
【手続補正５】
【補正対象書類名】明細書
【補正対象項目名】０００９
【補正方法】変更
【補正の内容】
【０００９】図２は、図１のバラ３の花びら２３の拡大縦断面図である。表面５１は事前に意匠、デザイン、色調を吟味して背景を塗り込めた基台２０の表面５１。その上に、バラ３の外周のみを切りぬいた花びら２３を、下から順次、三層になるようビーズ２１を間に挟みながら、接着剤２２を用いて、複数のバラの花びら２３の相互間の高さを調節しつつ積み重ね、立体化するよう取り付ける。この工程の仕上げとして、艶出し仕上げ剤２４を使い花びらに艶をだす。
【手続補正６】
【補正対象書類名】明細書
【補正対象項目名】００１１
【補正方法】変更
【補正の内容】
【００１１】図３  基台２０の表面５１から１５ｍｍ〜２０ｍｍ程度の深さに、やや上向き傾斜のハート型を切り欠き開口し、ハート型露出窓４を穿設する。ハート型に切った厚紙２５をハート型開口部内に落とし込み、嵌め込みながら接着剤２２にて接着。
【手続補正７】
【補正対象書類名】明細書
【補正対象項目名】００１２
【補正方法】変更
【補正の内容】
【００１２】図４は、図１の５の拡大縦断面図で、ハート型厚紙２５の上に、予め用意しておいた写真２６を４枚プリントし、カットし、図柄の遠近に合わせながら、ビーズ２１にて高さを保たせ、接着剤２２を用いて四層に重ね固定する。ハート型厚紙２５より写真２６を浮き上がらせ半立体的な装飾にする工程。
【手続補正８】
【補正対象書類名】明細書
【補正対象項目名】００１３
【補正方法】変更
【補正の内容】
【００１３】図１の６は、ハート型切欠開口部４の外周に、美的且つ華やかさを出すために、針金や  羽毛を接着剤２２にて接着し装飾とする。
【手続補正９】
【補正対象書類名】明細書
【補正対象項目名】００１４
【補正方法】変更
【補正の内容】
【００１４】図１の７は基台２０の表面５１に英文字を浮き上がらせ、基台に影を作り、より立体感を増すための工程で、図５の拡大縦断面図にて説明する。レタリング文字７を適度な大きさにプリントし切り抜いておく。基台２０の表面５１にビーズ２１を接着し、切抜文字７をビーズ２１の上に積み重ねながら、バランス良く、高さを調節しながら、美的に配置し、接着剤２２で接着する。
【手続補正１０】
【補正対象書類名】明細書
【補正対象項目名】００１６
【補正方法】変更
【補正の内容】
【００１６】図１の５１は見開かれた本型展示物１００の基台２０の表面５１である。写真集等の本を頁の半分で分け、頁のふくらみを左右対称になる様に頁１をずらしながら、接着剤にて各頁の裏面を接着する。頁のふくらみは、強度が弱いので、強度補強のために下地用定着剤を塗り込めながら、表面５１を整える。表面５１の上に吟味したプリント、本実例ではバラ３が描写されたポスターを、コピープリントし、頁大にカットし、それを接着剤にて平貼りし、プリントの発色保護及び美観を良くするため、アクリル仕上げ剤を幾重にも塗り込める。その上に前述の［０００９］にて述べた立体的なバラを配し、また［００１４］で述べたレタリング切抜文字７を取り付け、さらに［００１０］〜［００１３］にて詳述したハート型露出窓４を設け、表面５１を完成させる。
【手続補正１１】
【補正対象書類名】明細書
【補正対象項目名】００１９
【補正方法】変更
【補正の内容】
【００１９】
【図１】本考案の一実施例を示す一部切欠左斜正面図であり、全体を表す。
【図２】バラの花びら２３の拡大縦断面図である。
【図３】ハート型露出窓の拡大縦断面図である。
【図４】写真２６部分の拡大縦断面図である。
【図５】レタリング切抜文字７の拡大縦断面図
【手続補正１２】
【補正対象書類名】明細書
【補正対象項目名】００２０
【補正方法】変更
【補正の内容】
【００２０】１  頁、２  捲れ上がった頁、３  バラの全体、４  ハート型露出窓、５  ハート型窓の内部の写真、６  針金と羽毛、７  レタリング切抜文字、２０  基台、２１  ビーズ、２２  接着剤、２３  花びら、２４  艶出仕上げ剤、５０  裏表紙、５１  表面、２５  ハート型厚紙、２６  写真、１００  本型展示物、
【手続補正１３】
【補正対象書類名】図面
【補正対象項目名】図１
【補正方法】変更
【補正の内容】
【図１】
0003139813.tif 000008
【手続補正１４】
【補正対象書類名】図面
【補正対象項目名】図３
【補正方法】変更
【補正の内容】
【図３】
0003139813.tif 000009